(57)【要約】      （修正有）【課題】ウェブサイトコミュニティのユーザが、他のユーザと、両者のアイデンティティを危険にさらすことなく、コンタクトを開始する。【解決手段】コミュニティベースネットワークの第１組の個人情報およびパブリックネットワークの第２組の個人情報を有する第１のユーザ機器と、コミュニティベースネットワークの第１組の個人情報およびパブリックネットワークの第２組の個人情報を有する第２のユーザ機器と、第１のユーザ機器および第２のユーザ機器に動作可能に結合されたＩＭＳネットワークプレゼンスシステムとにより構成される。プレゼンスシステムは、コミュニティベースネットワークにおける第１のユーザ機器がパブリックネットワークにおける第２のユーザ機器に発呼するとき、第２のユーザ機器の第２の組の個人情報が少なくとも呼設定の間に第１のユーザ機器に知らされないように構成される。【選択図】図１
2015029315.tif 000002
【特許請求の範囲】
【請求項１】
コミュニティベースのネットワーク用の第１の組の個人情報、およびパブリックネットワーク用の第２の組の個人情報を有する第１のユーザ機器と、
コミュニティベースのネットワーク用の第１の組の個人情報、およびパブリックネットワーク用の第２の組の個人情報を有する第２のユーザ機器と、
第１のユーザ機器および第２のユーザ機器に動作可能に結合されたＩＭＳネットワークにおける信頼できるプレゼンスシステムと
を含み、
信頼できるプレゼンスシステムは、コミュニティベースのネットワークにおける第１のユーザ機器が、パブリックネットワークにおける第２のユーザ機器に発呼するとき、第２のユーザ機器の第２の組の個人情報が、少なくとも呼設定の間に第１のユーザ機器に知らされないように構成される、
装置。
【請求項２】
第１の組の個人情報が、コミュニティベースのネットワーク用のユーザ機器に関連付けられた少なくとも名前識別を含み、第２の組の個人データが、電気通信システム用のユーザ機器に関連付けられた少なくとも電話番号を含む、請求項１に記載の装置。
【請求項３】
信頼できるプレゼンスシステムが、信頼できるデータベースに動作可能に結合された信頼できるプレゼンスサーバ、および信頼できるプレゼンスサーバに動作可能に結合された信頼できるプレゼンス電気通信アプリケーションサーバを含み、信頼できるプレゼンスサーバが、コミュニティベースのネットワークに動作可能に結合され、信頼できるプレゼンスサーバおよび信頼できるプレゼンス電気通信アプリケーションサーバのうちの少なくとも１つが、電気通信ネットワークに動作可能に結合された、請求項１に記載の装置。
【請求項４】
信頼できるプレゼンスサーバが、ＩＭＳネットワークおよびＰＬＭＮネットワークのうちの少なくとも１つに動作可能に結合され、信頼できるプレゼンス電気通信アプリケーションサーバが、ＩＭＳネットワーク、ＰＬＭＮ、およびＰＳＴＮのうちの少なくとも１つに動作可能に結合された、請求項３に記載の装置。
【請求項５】
コミュニティベースのネットワークがＩＭＳネットワークの一部であり、第１のユーザ機器がＩＭＳクライアントである、請求項１に記載の装置。
【請求項６】
少なくとも名前識別を有する少なくとも１つのユーザ機器である、ソーシャルネットワークにおける第１のユーザ機器から、ソーシャルネットワーク用の少なくとも名前識別、および電気通信ネットワーク用の少なくとも電話番号を有する、電気通信ネットワークにおける第２のユーザ機器に発呼するステップ、
第１のユーザ機器による呼の試みを認識し、対応するＩＭＳ招待メッセージを変更するステップ、ならびに
第２のユーザ機器の電話番号を第１のユーザ機器に伝達せずに呼を完了するために、第２のユーザ機器の名前識別を、第２のユーザ機器の電話番号に置き換えるステップ
を含む、方法。
【請求項７】
信頼できるプレゼンスシステムが、信頼できるデータベースに動作可能に結合された信頼できるプレゼンスサーバ、および信頼できるプレゼンスサーバに動作可能に結合された信頼できるプレゼンス電気通信アプリケーションサーバを含み、信頼できるプレゼンスサーバが、ソーシャルネットワークに動作可能に結合された、請求項６に記載の方法。
【請求項８】
信頼できるプレゼンスサーバおよび信頼できるプレゼンス電気通信アプリケーションサーバのうちの少なくとも１つが、電気通信ネットワークに動作可能に結合された、請求項７に記載の方法。
【請求項９】
信頼できるプレゼンスサーバが、ＩＭＳネットワークおよびＰＬＭＮネットワークのうちの少なくとも１つに動作可能に結合され、信頼できるプレゼンス電気通信アプリケーションサーバが、ＩＭＳネットワーク、ＰＬＭＮ、およびＰＳＴＮのうちの少なくとも１つに動作可能に結合された、請求項７に記載の方法。
【請求項１０】
信頼できるプレゼンスサーバが、ユーザ機器の少なくとも名前識別および電話番号に関係したマッピング機能を有し、信頼できるデータベースが、ユーザ機器の少なくとも名前識別および関連付けられた電話番号に関連したデータを含む、請求項７に記載の方法。
【発明の詳細な説明】
【技術分野】
【０００１】
本発明は、一般に電気通信ネットワークに関し、より詳細には、ソーシャルネットワーク、およびコミュニティベースのネットワークに関する個人情報セキュリティを提供するシステムに関する。
【背景技術】
【０００２】
セカンドライフは、２００３年に立ち上げられたインターネットベースの仮想世界である。セカンドライフビューアと呼ばれるダウンロード可能なクライアントプログラムが、「レジデント」と呼ばれるそのユーザを、動的なアバタを通して互いに対話可能にし、メタバースの一般的側面（ａｓｐｅｃｔ）に結び付いた、高度な水準のソーシャルネットワークサービスを提供する。これらは、人間が、互いに（ソーシャルにかつ経済的に）かつ実世界のメタファーを使用するサイバー空間のソフトウエアエージェントによって、（アバタとして）対話するものの、その物理的な制約は受けないという環境である。レジデントは、探検し、他のレジデントに会い、社会活動し、個人およびグループのアクティビティに参加し、互いに物品（仮想資産）およびサービスを生み出し、取引することができる。
【０００３】
セカンドライフ内には、テキストベースの通信の２つの主な方法がある：ローカルなチャット、およびグローバルな「インスタントメッセージング」（ＩＭとして知られている）。チャットは、２つ以上のアバタの間で、パブリックな局在化された会話に使用され、２０ｍ以内で「聞かれる」ことができる。ＩＭは、２つのアバタの間またはグループのメンバの間のどちらかで、プライベートな会話に使用される。チャットとは異なり、ＩＭ通信は、互いにある一定内の距離にいる参加者には依存しない。
【発明の概要】
【発明が解決しようとする課題】
【０００４】
今日のインターネットは、数多くのソーシャルネットワーキング（ＳＮ）、および共通関心事のコミュニティウェブサイトをサポートする。これらのサイトの多くによって、そのサイトのメンバは、ＶｏＩＰ、ＩＭ、またはビデオを介して互いに通信することができる。このメカニズムは、ＰＣベースの通信では十分に機能する。しかし、アイデンティティプロファイル情報をＳＮサイトに公表された情報に制限しながら、携帯デバイスへの通信を可能にすることが望ましいであろう。たとえば、ある人は、「ハンドル名」または他の別名によってのみ知られることを選択することがあり、またある人は、自分の携帯電話の番号を明かしたくないと思うことがある。さらに、被呼者が現在ＳＮサイトにおいてオンラインでない場合は、携帯電話または固定電話に向けて、ＳＮサイトからＶｏＩＰ呼が開始されることを可能にできることが望ましいであろう。携帯ハンドセットに向けた、類似したＳＭＳベースまたはビデオベースの通信もまた望ましいであろう。要約すると、目下の技術的な課題とは、ウェブサイトコミュニティのユーザが、そのコミュニティの他のユーザと、従来の電気通信エンドポイントにおいて、両者のアイデンティティを危険にさらすことなく、コンタクトを開始することを可能にすることである。
【課題を解決するための手段】
【０００５】
本方法および装置による一実施形態が、ある方法を包含する。方法のこの実施形態は、以下を含むことができる：少なくとも名前識別を有する少なくとも１つのユーザ機器である、ソーシャルネットワークにおける第１のユーザ機器から、ソーシャルネットワーク用の少なくとも名前識別、および電気通信ネットワーク用の少なくとも電話番号を有する、電気通信ネットワークにおける第２のユーザ機器に発呼するステップ；第１のユーザ機器による呼の試みを認識し、対応するＩＭＳ招待メッセージを変更するステップ；ならびに第２のユーザ機器の電話番号を第１のユーザ機器に伝達せずに呼を完了するために、第２のユーザ機器の名前識別を、第２のユーザ機器の電話番号に置き換えるステップ。
【０００６】
本方法および装置による別の実施形態が、ある装置を包含する。装置のこの実施形態は、以下を含むことができる：コミュニティベースのネットワーク用の第１の組の個人情報、およびパブリックネットワーク用の第２の組の個人情報を有する第１のユーザ機器；コミュニティベースのネットワーク用の第１の組の個人情報、およびパブリックネットワーク用の第２の組の個人情報を有する第２のユーザ機器；第１のユーザ機器および第２のユーザ機器に動作可能に結合されたＩＭＳネットワークにおける信頼できるプレゼンスシステム。信頼できるプレゼンスシステムは、コミュニティベースのネットワークにおける第１のユーザ機器が、パブリックネットワークにおける第２のユーザ機器に発呼するとき、第２のユーザ機器の第２の組の個人情報が、少なくとも呼設定の間に第１のユーザ機器に知らされないように構成される。
【０００７】
本方法および装置の実施形態の特徴は、添付の特許請求の範囲において詳細に説明される。これらの実施形態は、付随する図面を併用して以下の説明を参照することによって、最もよく理解されるであろう。それらのいくつかの図面において、同様の参照番号は、同様の要素を特定する。
【図面の簡単な説明】
【０００８】
【図１】本方法および装置による、信頼できるプレゼンスシステムの使用の一例を表す図である。
【図２】信頼できるプレゼンスシステムを示す本方法および装置の一実施形態を表す図である。
【図３】本方法および装置による、例示的な一流れ図を表現する図である。
【発明を実施するための形態】
【０００９】
ソーシャルネットワーキング通信のための最新の技術は、ＳＮサイトにおいて両方の相手が「オンライン」であるときには、ロバスト（音声、インスタントメッセージング、ビデオ、電子メール）である。しかしながら、一方の相手がオンラインでないとき、オフライン側の相手が、自分の電話番号をオンラインのユーザと共有しない限り、通信が発生することはない。発呼する必要性は事前には知られていないため、前もって適宜に電話番号を共有することは難しい。常にこのことが、個人情報の広すぎる、または狭すぎる分散につながる。さらに、そのようなＳＮサイトにおける対話は、一時的な親交しか持たない人々の間で行われることから、個人情報が、たとえば携帯電話への音声通信の必要性に対応する以前に共有されることが多い。最後に、一旦共有されてから、電話番号を撤回することは事実上不可能である。
【００１０】
今日のインターネットは、数多くのソーシャルネットワーキング（ＳＮ）、および共通関心事のコミュニティウェブサイトをサポートする。これらのサイトの多くによって、そのサイトのメンバは、ＶｏＩＰ、ＩＭ、またはビデオを介して互いに通信することができる。このメカニズムは、ＰＣベースの通信では十分に機能する。しかし、アイデンティティプロファイル情報をＳＮサイトに公表された情報に制限しながら、携帯デバイスへの通信を可能にすることが望ましいであろう。たとえば、ある人は、「ハンドル名」または他の別名によってのみ知られることを選択することがあり、またある人は、自分の携帯電話の番号を明かしたくないと思うことがある。さらに、被呼者が現在ＳＮサイトにおいてオンラインでない場合は、携帯電話に向けて、ＳＮサイトからＶｏＩＰ呼が開始されることを可能にできることが望ましいであろう。携帯ハンドセットに向けた、類似したＳＭＳベースまたはビデオベースの通信もまた望ましいであろう。要約すると、目下の技術的な課題とは、被呼者または発呼者のどちらかに追加の識別情報を明かすことなく、そのような通信が行われることを可能にすることである。
【００１１】
本方法および装置の実施形態は、ウェブサイトコミュニティのユーザと従来の電気通信エンドポイント（携帯電話など）との間で、マルチメディア通信を提供する。そのような通信は、実際の電話番号などの個人情報の開示を要求することなく行われることが可能にされる。通信インターフェースは、確立されたウェブサイトの識別（ハンドル名など）のみに依拠する。所与のハンドル名に関連付けられた実際の電話番号は、信頼できるプレゼンスシステムにおいて維持され、セキュアに保たれる。
【００１２】
図１は、本方法および装置による、信頼できるプレゼンスシステムの使用の一例を表す。信頼できるプレゼンスシステム１０８は、第１のユーザ機器１０１および電気通信ネットワーク１０６に動作可能に結合されることができる。第１のユーザ機器１０１は、たとえば、ＩＭＳクライアントであってよい。また、第１のユーザ機器１０１および信頼できるプレゼンスシステム１０８は、ＩＭＳネットワーク１１１の一部であってよい。
【００１３】
第１のユーザ機器１０１は、「ハンドル名」、またはさまざまなソーシャルネットワークおよびコミュニティベースのネットワークにおいて利用されることができる、第１のユーザ機器１０１に関連付けられた名前を有することができる。「ハンドル名」または名前は、一般に名前識別と呼ばれることがあり、第１のユーザ機器１０１に関連付けられた個人情報の一部であってよい。第１のユーザ機器１０１はまた、それに関連付けられた電話番号を有することができる。
【００１４】
電気通信ネットワーク１０６は、第２のユーザ機器１０２を有することができ、第２のユーザ機器１０２は、たとえばソーシャルネットワーク用の名前識別などの第１の組の個人情報、および電気通信ネットワーク１０６用の電話番号などの第２の組の個人情報を有することができる。
【００１５】
信頼できるプレゼンスシステム１０８は、第１のユーザ機器１０１および第２のユーザ機器１０２に関連付けられたそれぞれの個人情報を含むことができる信頼できるデータベース１０３に動作可能に結合されることができる。詳細には、信頼できるデータベース１０３は、第１のユーザ機器１０１および第２のユーザ機器１０２について、それぞれの名前と、関連した電話番号との関連付けを含むことができる。
【００１６】
一例では、第１および第２のユーザ機器１０１、１０２のユーザは、ソーシャルネットワークにおいてアクティブであってよく、加えて、セル電話などの動作可能な携帯機器を有していてよい。ＩＭＳネットワーク１１１によって収集されるプレゼンス情報は、第２のユーザ機器１０２がどこで利用可能であり得るかに関して、第１のユーザ機器１０１に通知する手段を提供する。たとえば、第２のユーザ機器１０２は、現在、ソーシャルネットワークにおいてその名前を介して、およびパブリックまたは電気通信ネットワーク１０６においてその電話番号によって、利用可能であることができる。第１のユーザ機器１０１は、その電話番号を使用して、信頼できるプレゼンスシステム１０８を介して第２のユーザ機器１０２に接続することを選ぶことができる。第２のユーザ機器の名前の、第２のユーザ機器１０２の電話番号との関連付けは、信頼できるデータベース１０３に記憶される。信頼できるプレゼンスシステム１０８は次いで、第１のユーザ機器１０１に対して第２のユーザ機器１０２の電話番号を明かすことなく、第１および第２のユーザ機器１０１、１０２の間に接続を確立することができる。
【００１７】
別の例では、第２のユーザ機器１０２がソーシャルネットワークでオフラインである場合で、かつ第２のユーザ機器１０２が、ソーシャルネットワークでオンラインである第１のユーザ機器１０１などの別のユーザ機器から呼を受信する場合である。第１のユーザ機器１０１に対して第２のユーザ機器１０２の電話番号をさらすことなく、電話番号が、第２のユーザ機器１０２との通信を設定するのに使用されることができる。
【００１８】
本方法および装置の特徴は、承諾するＳＮユーザごとの追加の個人情報を含む信頼できるプレゼンスシステムを提供することである。特定のユーザがＳＮサイトからオフラインであるとき、ＳＮ友達リストは、そのオフラインユーザの携帯プレゼンスを表示することになるが、電話番号を明かすことはない。プレゼンス情報は、ＳＮハンドル名のみに関連付けられている。オンラインユーザがオフラインユーザと通信することを望む場合、友達リストウインドウからのクリックトゥコールオプションが呼を開始する。しかし、信頼できるプレゼンスシステムは、呼の試みを認識し、ＩＭＳ招待メッセージ（または他の通信技術の同等メッセージ）を変更する。信頼できるプレゼンスシステムは、宛先相手のハンドル名または名前を、実際の電話番号に置き換え、発呼者ＩＤをＳＮサイトの識別名およびユーザハンドル名（たとえばＪｉｍ＠ＭｙＳｐａｃｅ）に置き換える（または付加する）。
【００１９】
図２は、信頼できるプレゼンスシステムを示す本方法および装置の実施形態を表す。この実施形態では、信頼できるプレゼンスシステム２０２が、信頼できるデータベース２０６に動作可能に結合された信頼できるプレゼンスサーバ２０４と、信頼できるプレゼンスサーバ２０４に動作可能に結合された信頼できるプレゼンス電気通信アプリケーションサーバ２０８とを有することができる。この実施形態では、信頼できるプレゼンスシステム２０２は、ＩＭＳネットワーク２１０の一部であってよい。信頼できるプレゼンスサーバ２０２は、ソーシャルネットワーク２１２に動作可能に結合されることができる。ソーシャルネットワーク２１２は、インターネットなどのＩＰネットワーク２１３を介して、信頼できるプレゼンスサーバ２０４に動作可能に結合されたソーシャルネットワークサーバ２１４を有することができる。またこの例では、ＩＰネットワーク２１３を介してソーシャルネットワークサーバ２１４に動作可能に結合されることができるラップトップ２１６などの端末が表されている。
【００２０】
電気通信ネットワーク２１８は、たとえば、信頼できるプレゼンスサーバ２０４に動作可能に結合されたＨＳＳ２２２を備えるＩＭＳネットワーク２２０を有することができる。ユーザ機器２２４は、ＩＭＳネットワーク２２０を介して、信頼できるプレゼンス電気通信アプリケーションサーバ２０８に動作可能に結合されることができる。
【００２１】
電気通信ネットワーク２１８はまた、たとえば、信頼できるプレゼンスサーバ２０４に動作可能に結合されたＨＬＲ２２８を備えるＰＬＭＮネットワーク２２６を有することができる。ユーザ機器２３０は、ＰＬＭＮネットワーク２２６およびメディアゲートウェイ２３２を介して、信頼できるプレゼンス電気通信アプリケーションサーバ２０８に動作可能に結合されることができる。
【００２２】
電気通信ネットワーク２１８はまた、たとえばＰＳＴＮネットワーク２３４を有することができる。ユーザ機器２３６は、ＰＳＴＮネットワーク２３４およびメディアゲートウェイ２３２を介して、信頼できるプレゼンス電気通信アプリケーションサーバ２０８に動作可能に結合されることができる。
【００２３】
図３は、本方法および装置による、例示的な一流れ図を表現したものである。本方法および装置によるこの実施形態は、以下のステップを有する方法である：少なくとも名前識別を有する少なくとも１つのユーザ機器である、ソーシャルネットワークにおける第１のユーザ機器から、ソーシャルネットワーク用の少なくとも名前識別、および電気通信ネットワーク用の少なくとも電話番号を有する、電気通信ネットワークにおける第２のユーザ機器に発呼するステップ（３０１）；第１のユーザ機器による呼の試みを認識し、対応するＩＭＳ招待メッセージを変更するステップ（３０２）；ならびに第２のユーザ機器の電話番号を第１のユーザ機器に伝達せずに呼を完了するために、第２のユーザ機器の名前識別を、第２のユーザ機器の電話番号に置き換えるステップ（３０３）。
【００２４】
一例における本装置は、電子コンポーネント、ハードウエアコンポーネント、およびコンピュータソフトウエアコンポーネントのうちの１つまたは複数などの、複数のコンポーネントを含むことができる。そのようないくつかのコンポーネントは、本装置に統合される、または装置において分割されることができる。
【００２５】
一例における本装置は、１つまたは複数のコンピュータ可読信号保持媒体を利用することができる。コンピュータ可読信号保持媒体は、１つまたは複数の実施形態の、１つまたは複数の部分を実行するための、ソフトウエア、ファームウエア、および／またはアセンブリ言語を記憶することができる。本装置のためのコンピュータ可読信号保持媒体の例には、書込み可能なデータ記憶媒体（加入者データベース）を含むことができる。一例における本装置のためのコンピュータ可読信号保持媒体は、磁気的、電気的、光学的、生物学的、および原子によるデータ記憶媒体のうちの１つまたは複数を含むことができる。たとえば、コンピュータ可読信号保持媒体は、フロッピー（登録商標）ディスク、磁気テープ、ＣＤ−ＲＯＭ、ＤＶＤ−ＲＯＭ、ハードディスクドライブ、および電子メモリを含むことができる。別の例では、コンピュータ可読信号保持媒体は、本装置を含む、または本装置に結合されるネットワーク、たとえば、電話ネットワーク、ローカルエリアネットワーク（「ＬＡＮ」）、ワイドエリアネットワーク（「ＷＡＮ」）、インターネット、および無線ネットワークのうちの１つまたは複数を通じて送信される変調搬送波信号を含むことができる。
【００２６】
本明細書で説明されたステップまたは動作は、例示に過ぎない。本発明の精神から逸脱せずに、これらのステップまたは動作に対する多くの変形が存在してよい。たとえば、ステップは異なる順序で実行されてよく、またはステップが付加され、削除され、もしくは変更されてよい。
【００２７】
本発明の例示的な実装形態が、本明細書において詳細に表現され、説明されてきたが、関連技術の当業者には、本発明の精神から逸脱せずに、さまざまな修正形態、付加形態、および代替形態などがなされることができ、したがって、これらが、以下の特許請求の範囲によって定義される本発明の範囲内にあると考えられることが明らかであろう。
【図１】
2015029315.tif 000003
【図２】
2015029315.tif 000004
【図３】
2015029315.tif 000005
【手続補正書】
【提出日】平成26年9月16日(2014.9.16)
【手続補正１】
【補正対象書類名】特許請求の範囲
【補正対象項目名】全文
【補正方法】変更
【補正の内容】
【特許請求の範囲】
【請求項１】
信頼できるプレゼンスシステム（１０８）の信頼できるデータベース内に、第１のユーザ機器（１０１）および第２のユーザ機器（１０２）の各々ついて、それぞれの名前識別及び関連付けられた電話番号の関連付けを格納するステップと、
少なくとも名前識別を有する、コミュニティベースのネットワークにおける第１のユーザ機器（１０１）から、オンラインのコミュニティベースのネットワーク用の少なくとも名前識別、および電気通信ネットワーク（１０６）用の少なくとも電話番号を有する、電気通信ネットワークに動作可能に結合された第２のユーザ機器（１０２）に発呼するステップ（３０１）と、
信頼できるプレゼンスシステムにより、第２のユーザ機器の名前識別を使用して第１のユーザ機器（１０１）による呼の試みを認識し（３０２）、対応するＩＭＳ招待メッセージを変更するステップ、ならびに
第２のユーザ機器（１０２）の電話番号を第１のユーザ機器（１０１）に伝達せずに呼を完了するために、第２のユーザ機器（１０２）の名前識別を、第２のユーザ機器（１０２）の電話番号に置き換えるステップ（３０３）
を含み、
信頼できるプレゼンスシステム（１０８）が、信頼できるデータベース（１０３）に動作可能に結合された信頼できるプレゼンスサーバ（２０４）、および信頼できるプレゼンスサーバ（２０４）に動作可能に結合された信頼できるプレゼンス電気通信アプリケーションサーバ（２０８）を含み、信頼できるプレゼンスサーバ（２０４）が、コミュニティベースのネットワークに動作可能に結合され、
信頼できるプレゼンスサーバ（２０４）および信頼できるプレゼンス電気通信アプリケーションサーバ（２０８）のうちの少なくとも１つが、電気通信ネットワーク（１０６）に動作可能に結合された、方法。
【請求項２】
信頼できるプレゼンスサーバ（２０４）が、ＩＭＳネットワーク（１１１、２２０）およびＰＬＭＮネットワーク（２２６）のうちの少なくとも１つに動作可能に結合され、信頼できるプレゼンス電気通信アプリケーションサーバ（２０８）が、ＩＭＳネットワーク（１１１、２２０）、ＰＬＭＮ（２２６）、およびＰＳＴＮ（２３４）のうちの少なくとも１つに動作可能に結合された、請求項１に記載の方法。
【請求項３】
信頼できるプレゼンスサーバ（２０４）が、ユーザ機器の少なくとも名前識別および電話番号に関係したマッピング機能を有する、請求項１に記載の方法。
【請求項４】
信頼できるプレゼンスシステム（１０８）が、信頼できるデータベース（１０３）に動作可能に結合された信頼できるプレゼンスサーバ（２０４）、および信頼できるプレゼンスサーバ（２０４）に動作可能に結合された信頼できるプレゼンス電気通信アプリケーションサーバ（２０８）を含み、信頼できるプレゼンスサーバ（２０４）が、コミュニティベースのネットワークに動作可能に結合され、
信頼できるプレゼンスサーバ（２０４）および信頼できるプレゼンス電気通信アプリケーションサーバ（２０８）のうちの少なくとも１つが、電気通信ネットワーク（１０６）に動作可能に結合されたシステムであって、
信頼できるプレゼンスシステム（１０８）の信頼できるデータベース内に、第１のユーザ機器（１０１）および第２のユーザ機器（１０２）の各々ついて、それぞれの名前識別及び関連付けられた電話番号の関連付けを格納するステップと、
少なくとも名前識別を有する、コミュニティベースのネットワークにおける第１のユーザ機器（１０１）から、オンラインのコミュニティベースのネットワーク用の少なくとも名前識別、および電気通信ネットワーク（１０６）用の少なくとも電話番号を有する、電気通信ネットワークに動作可能に結合された第２のユーザ機器（１０２）に発呼するステップ（３０１）と、
信頼できるプレゼンスシステムにより、第２のユーザ機器の名前識別を使用して第１のユーザ機器（１０１）による呼の試みを認識し（３０２）、対応するＩＭＳ招待メッセージを変更するステップ、ならびに
第２のユーザ機器（１０２）の電話番号を第１のユーザ機器（１０１）に伝達せずに呼を完了するために、第２のユーザ機器（１０２）の名前識別を、第２のユーザ機器（１０２）の電話番号に置き換えるステップ（３０３）
を実行する、システム。
【請求項５】
信頼できるプレゼンスサーバ（２０４）が、ＩＭＳネットワーク（１１１、２２０）およびＰＬＭＮネットワーク（２２６）のうちの少なくとも１つに動作可能に結合され、信頼できるプレゼンス電気通信アプリケーションサーバ（２０８）が、ＩＭＳネットワーク（１１１、２２０）、ＰＬＭＮ（２２６）、およびＰＳＴＮ（２３４）のうちの少なくとも１つに動作可能に結合された、請求項４に記載のシステム。
【請求項６】
信頼できるプレゼンスサーバ（２０４）が、ユーザ機器の少なくとも名前識別および電話番号に関係したマッピング機能を有する、請求項４に記載のシステム。
【請求項７】
信頼できるプレゼンスシステム（１０８）の信頼できるプレゼンスサーバ（２０４）であって、前記信頼できるプレゼンスサーバ（２０４）が信頼できるデータベース（１０３）と、信頼できるプレゼンス電気通信アプリケーションサーバ（２０８）と、コミュニティベースのネットワークに動作可能に結合され、
信頼できるプレゼンスサーバ（２０４）および信頼できるプレゼンス電気通信アプリケーションサーバ（２０８）のうちの少なくとも１つが、電気通信ネットワーク（１０６）に動作可能に結合され、
前記信頼できるデータベース内に、第１のユーザ機器（１０１）および第２のユーザ機器（１０２）の各々ついて、それぞれの名前識別及び関連付けられた電話番号の関連付けを格納するステップと、
少なくとも名前識別を有する、コミュニティベースのネットワークにおける第１のユーザ機器（１０１）から、オンラインのコミュニティベースのネットワーク用の少なくとも名前識別、および電気通信ネットワーク（１０６）用の少なくとも電話番号を有する、電気通信ネットワークに動作可能に結合された第２のユーザ機器（１０２）に対する呼を受信するステップと、
第２のユーザ機器の名前識別を使用して第１のユーザ機器（１０１）による呼の試みを認識し（３０２）、対応するＩＭＳ招待メッセージを変更するステップ、ならびに
第２のユーザ機器（１０２）の電話番号を第１のユーザ機器（１０１）に伝達せずに呼を完了するために、第２のユーザ機器（１０２）の名前識別を、第２のユーザ機器（１０２）の電話番号に置き換えるステップ（３０３）
を実行するように構成されている、信頼できるプレゼンスサーバ（２０４）。
【請求項８】
ＩＭＳネットワーク（１１１、２２０）およびＰＬＭＮネットワーク（２２６）のうちの少なくとも１つに動作可能に結合された、請求項７に記載の信頼できるプレゼンスサーバ（２０４）。
【請求項９】
ユーザ機器の少なくとも名前識別および電話番号に関係したマッピング機能を有する、請求項７に記載の信頼できるプレゼンスサーバ（２０４）。